(57)【要約】【課題】より一層広帯域にわたっての低インピーダンス化を確実に実現することができる積層コンデンサを提供すること。【解決手段】第１内部電極３１，３３，３５は、第１主電極部３１ａ，３３ｂ，３５ｃと第１端子電極に直接接続される第１引き出し部３１ｂ，３３ｂ，３５ｂとを含んでいる。第２内部電極４１は、第１内部電極３１，３３，３５とで静電容量成分をそれぞれ形成する第２主電極部４１ａ，４１ｂ，４１ｃと、各第２主電極部４１ａ，４１ｂ，４１ｃ間を接続する連結部４３ａ，４３ｂと、第２端子電極と直接接続される第２引き出し部４１ｄとを含んでいる。第１引き出し部３１ｂ，３３ｂ，３５ｂの位置が異なると共に、第１引き出し部３１ｂ，３３ｂ，３５ｂと第２引き出し部４１ｄとの距離が異なっており、連結部４３ａ，４３ｂの幅は、第２主電極部４１ａ，４１ｂ，４１ｃの幅よりも狭い。【選択図】図２
2010219143.tif 000002
【特許請求の範囲】
【請求項１】
第１内部電極と第２内部電極とが誘電体層を挟んで対向するように積層されてなる積層体と、
前記素体の一端側に設けられた第１端子電極と、
前記素体の他端側に設けられた第２端子電極と、を備え、
前記第１内部電極は複数種類有し、前記各種類の第１内部電極は、第１主電極部と、前記第１主電極部から前記素体の一端に伸びて前記第１端子電極に直接接続される第１引き出し部と、を含み、
前記第２内部電極は、前記各種類の第１内部電極とで静電容量成分をそれぞれ形成する複数の第２主電極部と、前記各第２主電極部間を接続する連結部と、前記複数の第２主電極部のうち一つの第２主電極部から前記素体の他端に伸びて前記第２端子電極と直接接続される第２引き出し部と、を含み、
前記各種類の第１内部電極の前記第１引き出し部の位置が異なると共に、前記各種類の第１内部電極の前記第１引き出し部と前記第２引き出し部との距離が異なっており、
前記連結部の幅は、前記複数の第２主電極部のうち少なくとも一つの第２主電極部の幅よりも狭いことを特徴とする積層コンデンサ。
【請求項２】
少なくとも一種類の前記第１内部電極は、前記第１端子電極に直接接続されない第１中間電極部を更に含み、
前記第１主電極部と前記第１中間電極部とは、前記第１主電極部と前記第１中間電極部との間に直列に接続された複数の静電容量成分が形成されるように、前記誘電体層を挟んで配置されていることを特徴とする請求項１に記載の積層コンデンサ。
【請求項３】
前記積層体には、第３主電極部と、前記第３主電極部から前記素体の他端に伸びて前記第２端子電極と直接接続される第３引き出し部と、前記第２端子電極に直接接続されない第３中間電極部と、を含む第３内部電極が積層されており、
前記第３主電極部と前記第３中間電極部とは、少なくとも一種類の前記第１内部電極と前記第３主電極部との間に直列に接続された複数の静電容量成分が形成されるように、前記誘電体層を挟んで配置されていることを特徴とする請求項１又は２に記載の積層コンデンサ。
【発明の詳細な説明】
【技術分野】
【０００１】
本発明は、積層コンデンサに関する。
【背景技術】
【０００２】
積層コンデンサとして、第１内部電極と第２内部電極とが誘電体層を挟んで交互に積層されてなる積層体と、積層体の一端側に設けられた第１端子電極と、積層体の他端側に設けられた第２端子電極とを備え、第１内部電極には、第１端子電極と接続される第１引き出し部が設けられ、第２内部電極には、第２端子電極と接続される第２引き出し部が設けられ、第１内部電極は複数種類有し、各種類の第１内部電極の前記第１引き出し部の位置が異なっており、各種類の第１内部電極の第１引き出し部と第２引き出し部との距離が異なっているものが知られている（例えば、特許文献１参照）。
【先行技術文献】
【特許文献】
【０００３】
【特許文献１】特開２００８−７１８１１号公報
【発明の概要】
【発明が解決しようとする課題】
【０００４】
特許文献１に記載された積層コンデンサによれば、広帯域にわたっての低インピーダンス化を確実に実現することができるものの、近年では、より一層広帯域にわたっての低インピーダンス化が求められている。
【０００５】
本発明の目的は、より一層広帯域にわたっての低インピーダンス化を確実に実現することができる積層コンデンサを提供することである。
【課題を解決するための手段】
【０００６】
本発明に係る積層コンデンサは、第１内部電極と第２内部電極とが誘電体層を挟んで対向するように積層されてなる積層体と、素体の一端側に設けられた第１端子電極と、素体の他端側に設けられた第２端子電極と、を備え、第１内部電極は複数種類有し、各種類の第１内部電極は、第１主電極部と、第１主電極部から素体の一端に伸びて第１端子電極に直接接続される第１引き出し部と、を含み、第２内部電極は、各種類の第１内部電極とで静電容量成分をそれぞれ形成する複数の第２主電極部と、各第２主電極部間を接続する連結部と、複数の第２主電極部のうち一つの第２主電極部から素体の他端に伸びて第２端子電極と直接接続される第２引き出し部と、を含み、各種類の第１内部電極の第１引き出し部の位置が異なると共に、各種類の第１内部電極の第１引き出し部と第２引き出し部との距離が異なっており、連結部の幅は、複数の第２主電極部のうち少なくとも一つの第２主電極部の幅よりも狭いことを特徴とする。
【０００７】
本発明に係る積層コンデンサでは、第１内部電極を複数種類設けることにより、第１内部電極（第１主電極部）、第２内部電極（第２主電極部）及び誘電体層からなる静電容量成分が複数形成されることとなる。ここで、一般にコンデンサの自己共振周波数を制御するためには、コンデンサの等価直列インダクタンス（ＥＳＬ）もしくは静電容量を調整する必要がある。このとき、第１内部電極の第１引き出し部と第２内部電極の第２引き出し部との距離が小さくなるほど、コンデンサの等価直列インダクタンスが低くなり、その結果コンデンサの自己共振周波数が高くなる。本発明では、各種類の第１内部電極の第１引き出し部と第２内部電極の第２引き出し部との距離が異なっているので、各種類の第１内部電極に対応する各静電容量成分の等価直列インダクタンスが異なり、結果的に各コンデンサ部の自己共振周波数が異なるようになる。従って、積層コンデンサは、複数の自己共振周波数を有することとなる。これにより、広帯域にわたり低インピーダンスとなる積層コンデンサを確実に得ることができる。また、このとき、第１内部電極の種類が多くなるほど、積層コンデンサがもつ自己共振周波数の数が多くなるため、より広帯域にわたって低インピーダンス化を図ることができる。
【０００８】
そして、本発明では、第２内部電極は、第２主電極部間を接続する連結部を含み、連結部の幅が、複数の第２主電極部のうち少なくとも一つの第２主電極部の幅よりも狭いことから、各第２主電極部が磁気的に分離され、各静電容量成分による自己共振周波数も更に分離されることとなる。この結果、より一層広帯域にわたってインピーダンスを低下させることができる。
【０００９】
好ましくは、少なくとも一種類の第１内部電極は、第１端子電極に直接接続されない第１中間電極部を更に含み、第１主電極部と第１中間電極部とは、第１主電極部と第１中間電極部との間に直列に接続された複数の静電容量成分が形成されるように、誘電体層を挟んで配置されている。この場合、上記少なくとも一種類の第１内部電極と第２内部電極とにより形成される静電容量成分が、直列接続された複数の静電容量成分に分割されることとなり、更に広帯域にわたってインピーダンスが低下することとなる。
【００１０】
好ましくは、積層体には、第３主電極部と、第３主電極部から素体の他端に伸びて第２端子電極と直接接続される第３引き出し部と、第２端子電極に直接接続されない第３中間電極部と、を含む第３内部電極が積層されており、第３主電極部と第３中間電極部とは、少なくとも一種類の第１内部電極と第３主電極部との間に直列に接続された複数の静電容量成分が形成されるように、誘電体層を挟んで配置されている。この場合、第１内部電極と第３内部電極との間に直列接続された複数の静電容量成分が形成されることとなり、更に広帯域にわたってインピーダンスが低下することとなる。
【発明の効果】
【００１１】
本発明によれば、より一層広帯域にわたっての低インピーダンス化を確実に実現することができる積層コンデンサを提供することができる。
【図面の簡単な説明】
【００１２】
【図１】第１実施形態に係る積層コンデンサの概略斜視図である。
【図２】第１実施形態に係る積層コンデンサに含まれるコンデンサ素体の分解斜視図である。
【図３】第１内部電極及び第２内部電極により形成される静電容量成分を説明するための図である。
【図４】第１実施形態に係る積層型フィルタにおける、インピーダンスの周波数特性を示す線図である。
【図５】第１実施形態の変形例に係る積層コンデンサに含まれるコンデンサ素体の分解斜視図である。
【図６】第１内部電極及び第２内部電極により形成される静電容量成分を説明するための図である。
【図７】第２実施形態に係る積層コンデンサの概略斜視図である。
【図８】第２実施形態に係る積層コンデンサに含まれるコンデンサ素体の分解斜視図である。
【図９】第１内部電極、第２内部電極、及び第３内部電極により形成される静電容量成分を説明するための図である。
【図１０】第２実施形態の変形例に係る積層コンデンサに含まれるコンデンサ素体の分解斜視図である。
【図１１】第１内部電極、第２内部電極、及び第３内部電極により形成される静電容量成分を説明するための図である。
【発明を実施するための形態】
【００１３】
以下、添付図面を参照して、本発明の好適な実施形態について詳細に説明する。なお、説明において、同一要素又は同一機能を有する要素には、同一符号を用いることとし、重複する説明は省略する。
【００１４】
（第１実施形態）
まず、図１〜図３に基づいて、第１実施形態に係る積層コンデンサＣ１の構成について説明する。図１は、第１実施形態に係る積層コンデンサの概略斜視図である。図２は、第１実施形態に係る積層コンデンサに含まれるコンデンサ素体の分解斜視図である。図３は、第１内部電極及び第２内部電極により形成される静電容量成分を説明するための図である。
【００１５】
積層コンデンサＣ１は、図１に示すように、積層体としてのコンデンサ素体１と、コンデンサ素体１の一端側に設けられた第１端子電極１１と、コンデンサ素体１の他端側に設けられた第２端子電極１３と、を備える。コンデンサ素体１は、直方体形状を呈しており、相対向する長方形状の第１主面２及び第２主面３と、相対向する第１端面４及び第２端面５と、相対向する第３端面６及び第４端面７と、を含んでいる。第１端面４及び第２端面４は、第１主面２と第２主面３との間を連結するように第１主面２及び第２主面３の長辺方向に伸びている。第３端面６及び第４端面７は、第１主面２と第２主面３との間を連結するように第１主面２及び第２主面３の長辺方向の短辺方向に伸びている。
【００１６】
コンデンサ素体１の第１端面４には、第１端子電極１１が配置されている。第１端子電極１１は、第１端面４を覆うように、第１及び第２主面２，３並びに第３及び第４端面６，７に渡って形成されている。コンデンサ素体１の第２端面５には、第２端子電極１３が配置されている。第２端子電極１３は、第２端面５を覆うように、第１及び第２主面２，３並びに第３及び第４端面６，７に渡って形成されている。第１及び第２端子電極１１，１３は、例えば、導電性金属粉末及びガラスフリットを含む導電性ペーストをコンデンサ素体１の対応する外表面の付与し、焼き付けることによって形成される。必要に応じて、焼き付けられた電極の上にめっき層が形成されることもある。
【００１７】
コンデンサ素体１は、図２に示されるように、複数の誘電体層２１と、複数の第１内部電極３１，３３，３５と、第２内部電極４１と、を有している。各誘電体層２１は、第１及び第２主面２，３に平行な方向に伸びており、第１及び第２主面２，３の対向方向に積層されている。コンデンサ素体１は、複数の第１内部電極３１，３３，３５と第２内部電極４１とが誘電体層２１を挟んで対向するように積層されてなる構造とされている。各誘電体層２１は、たとえば誘電体セラミックを含むセラミックグリーンシートの焼結体から構成される。実際の積層コンデンサＣ１では、各誘電体層２１は、誘電体層２１の間の境界が視認できない程度に一体化されている。第１内部電極３１，３３，３５と第２内部電極４１とは、コンデンサ素体１において、誘電体層２１の積層方向、すなわち第１及び第２主面２，３の対向方向に交互に配置されている。
【００１８】
複数の第１内部電極３１，３３，３５は、互いの間に間隔を有した状態で、同じ層に位置している。第１内部電極３３は、第１内部電極３１，３５の間に位置している。複数の第１内部電極３１，３３，３５は、第３端面６から第４端面７に向う方向で、第１内部電極３１，第１内部電極３３，第１内部電極３５の順で配置されている。各第１内部電極３１，３３，３５は、積層型の電気素子の内部電極として通常用いられる導電性材料（例えば、卑金属であるＮｉ等）からなる。各第１内部電極３１，３３，３５は、上記導電性材料を含む導電性ペーストの焼結体として構成される。各第１内部電極３１，３３，３５は、矩形状の第１主電極部３１ａ，３３ａ，３５ａと、第１端面４に端部が露出するように第１主電極部３１ａ，３３ａ，３５ａから第１端面４に伸びる第１引き出し部３１ｂ，３３ｂ，３５ｂと、を含んでいる。
【００１９】
各第１引き出し部３１ｂ，３３ｂ，３５ｂは、対応する第１主電極部３１ａ，３３ａ，３５ａの第１端面４側の端部から、第１端面４に向けて伸びている。第１主電極部３１ａ，３３ａ，３５ａと第１引き出し部３１ｂ，３３ｂ，３５ｂとは、一体に形成されている。第１端子電極１１は、各第１引き出し部３１ｂ，３３ｂ，３５ｂの第１端面４に露出した部分をすべて覆うように形成されており、各第１引き出し部３１ｂ，３３ｂ，３５ｂは、第１端子電極１１に直接接続される。これにより、第１内部電極３１は、第１端子電極１１に物理的且つ電気的に接続されることとなる。
【００２０】
第２内部電極４１は、第１内部電極３１，３３，３５と異なる層に位置している。すなわち、第２内部電極４１は、誘電体層２１を挟んで、第１内部電極３１，３３，３５（第１主電極部３１ａ，３３ａ，３５ａ）と対向している。第２内部電極４１も、積層型の電気素子の内部電極として通常用いられる上記導電性材料からなる。第２内部電極４１は、上記導電性材料を含む導電性ペーストの焼結体として構成される。第２内部電極４１は、矩形状の第２主電極部４１ａ，４１ｂ，４１ｃと、第２端面５に端部が露出するように第２主電極部４１ｃから第２端面５に伸びる第２引き出し部４１ｄと、を含んでいる。
【００２１】
第２主電極部４１ｂは、第２主電極部４１ａ，４１ｃの間に位置している。第２主電極部４１ａ，４１ｂ，４１ｃは、第３端面６から第４端面７に向う方向で、第２主電極部４１ａ，第２主電極部４１ｂ，第２主電極部４１ｃの順で配置されている。第２引き出し部４１ｄは、第２主電極部４１ｃの第２端面５側の端部から、第２端面５に向けて伸びている。第２主電極部４１ａ，４１ｂ，４１ｃと第２引き出し部４１ｄとは、一体に形成されている。第２端子電極１３は、第２引き出し部４１ｄの第２端面５に露出した部分をすべて覆うように形成されており、第２引き出し部４１ｄは、第２端子電極１３に直接接続される。
【００２２】
第２内部電極４１は、更に、連結部４３ａ，４３ｂを含んでいる。連結部４３ａは、第２主電極部４１ａと第２主電極部４１ｂとの間を接続している。詳細には、連結部４３ａは、第２主電極部４１ａの第２端面５寄りの部分と、第２主電極部４１ｂの第２端面５寄りの部分とを接続している。連結部４３ｂは、第２主電極部４１ｂと第２主電極部４１ｃとの間を接続している。詳細には、連結部４３ｂは、第２主電極部４１ｂの第２端面５寄りの部分と、第２主電極部４１ｃの第２端面５寄りの部分とを接続している。連結部４３ａ，４３ｂは、第２主電極部４１ａ，４１ｂ，４１ｃ及び第２引き出し部４１ｄと一体に形成されている。これにより、第２内部電極４１は、第２端子電極１３に物理的且つ電気的に接続されることとなる。連結部４３ａ，４３ｂは、第１内部電極３１，３３，３５と対向しておらず、誘電体層２１の積層方向（第１及び第２主面２，３の対向方向）から見て第１内部電極３１，３３，３５と互いに重なる領域を有さない。
【００２３】
連結部４３ａ，４３ｂの幅は、各第２主電極部４１ａ，４１ｂ，４１ｃの幅よりも狭い。ここで、連結部４３ａ，４３ｂの幅は、第１端面４と第２端面５との対向方向での連結部４３ａ，４３ｂの長さ（幅）であり、各第２主電極部４１ａ，４１ｂ，４１ｃの幅は、同じく第１端面４と第２端面５との対向方向での各第２主電極部４１ａ，４１ｂ，４１ｃの長さ（幅）である。
【００２４】
第１内部電極３１の第１主電極部３１ａと、第２内部電極４１の第２主電極部４１ａとは、コンデンサ素体１の一部である少なくとも一つの誘電体層２１を挟んで第１及び第２主面２，３の対向方向に互いに対向する領域を含んでいる。すなわち、第１内部電極３１の第１主電極部３１ａと、第２内部電極４１の第２主電極部４１ａとは、第１及び第２主面２，３の対向方向から見て互いに重なる領域を有している。したがって、誘電体層２１のうち、第１主電極部３１ａと第２主電極部４１ａとに重なる部分は、図３に示されるように、一つの静電容量成分Ｃ１１を実質的に生じさせる領域である。すなわち、第１内部電極３１と第２内部電極４１とで一つのコンデンサが構成される。
【００２５】
第１内部電極３３の第１主電極部３３ａと、第２内部電極４１の第２主電極部４１ｂとは、コンデンサ素体１の一部である少なくとも一つの誘電体層２１を挟んで誘電体層２１の積層方向に互いに対向する領域を含んでいる。すなわち、第１内部電極３３の第１主電極部３３ａと、第２内部電極４１の第２主電極部４１ｂとも、第１及び第２主面２，３の対向方向から見て互いに重なる領域を有している。したがって、誘電体層２１のうち、第１主電極部３３ａと第２主電極部４１ｂとに重なる部分は、一つの静電容量成分Ｃ１２を実質的に生じさせる領域である。すなわち、第１内部電極３３と第２内部電極４１とで一つのコンデンサが構成される。
【００２６】
第１内部電極３５の第１主電極部３５ａと、第２内部電極４１の第２主電極部４１ｃとは、コンデンサ素体１の一部である少なくとも一つの誘電体層２１を挟んで誘電体層２１の積層方向に互いに対向する領域を含んでいる。すなわち、第１内部電極３５の第１主電極部３５ａと、第２内部電極４１の第２主電極部４１ｃとも、第１及び第２主面２，３の対向方向から見て互いに重なる領域を有している。したがって、誘電体層２１のうち、第１主電極部３５ａと第２主電極部４１ｃとに重なる部分は、一つの静電容量成分Ｃ１３を実質的に生じさせる領域である。すなわち、第１内部電極３５と第２内部電極４１とで一つのコンデンサが構成される。
【００２７】
ところで、コンデンサの等価直列インダクタンス（ＥＳＬ）をＬ、静電容量をＣとすると、コンデンサの自己共振周波数ｆｒは、
ｆｒ＝１／（２π（Ｌ＊Ｃ）１／２）
で表される。
【００２８】
したがって、コンデンサの等価直列インダクタンスＬや静電容量Ｃの値を変えることで、コンデンサの自己共振周波数ｆｒを変えることができる。このとき、異極性となる２つの内部電極の引き出し部間の距離が小さくなるほど、等価直列インダクタンスＬが低くなるため、自己共振周波数ｆｒが高くなる。
【００２９】
本実施形態の積層コンデンサＣ１では、第１内部電極３１，３３，３５が同じ層に位置し、第３端面６から第４端面７に向う方向に併置されている。このため、第１内部電極３１の第１引き出し部３１ｂと、第１内部電極３３の第１引き出し部３３ｂと、第１内部電極３５の第１引き出し部３５ｂと、の形成位置は異なっている。
【００３０】
静電容量成分Ｃ１１における第１内部電極３１の第１引き出し部３１ｂと第２内部電極４１の第２引き出し部４１ｄとの間の距離Ｄ１、静電容量成分Ｃ１２における第１内部電極３３の第１引き出し部３３ｂと第２内部電極４１の第２引き出し部４１ｄとの間の距離Ｄ２、及び静電容量成分Ｃ１３における第１内部電極３５の第１引き出し部３５ｂと第２内部電極４１の第２引き出し部４１ｄとの間の距離Ｄ３の関係は、
Ｄ１＞Ｄ２＞Ｄ３
となる。各第１引き出し部３１ｂ，３３ｂ，３５ｂと第２引き出し部４１ｄとの間の距離Ｄ１，Ｄ２，Ｄ３は、各第１引き出し部３１ｂ，３３ｂ，３５ｂと第１端子電極１１との接続点と、第２引き出し部４１ｄと第２端子電極１３との接続点との間の最短直線距離をいう。
【００３１】
このため、第１内部電極３１と第２内部電極４１とで構成されるコンデンサの等価直列インダクタンスＥＳＬ１、第１内部電極３３と第２内部電極４１とで構成されるコンデンサの等価直列インダクタンスＥＳＬ２、及び第１内部電極３５と第２内部電極４１とで構成されるコンデンサの等価直列インダクタンスＥＳＬ３の関係は、
ＥＳＬ１＞ＥＳＬ２＞ＥＳＬ３
となる。したがって、第１内部電極３１と第２内部電極４１とで構成されるコンデンサの自己共振周波数ｆｒ１、第１内部電極３３と第２内部電極４１とで構成されるコンデンサの自己共振周波数ｆｒ２、及び第１内部電極３５と第２内部電極４１とで構成されるコンデンサの自己共振周波数ｆｒ３の関係は、
ｆｒ１＜ｆｒ２＜ｆｒ３
となり、図４に示されるように、広い周波数帯域にわたって低インピーダンス化を図ることができる。図４は、第１実施形態に係る積層コンデンサＣ１の周波数（Ｈｚ)に関するインピーダンス（Ω）特性を示すグラフである。図４に示したグラフの横軸は周波数（Ｈｚ）を表し、縦軸はインピーダンス（Ω）を表す。
【００３２】
第２内部電極４１は、各第２主電極部４１ａ，４１ｂ，４１ｃ間を接続する連結部４３ａ，４３ｂを含み、連結部４３ａ，４３ｂの幅が、第２主電極部４１ａ，４１ｂ，４１ｃの幅よりも狭い。このため、各第２主電極部４１ａ，４１ｂ，４１ｃが磁気的に分離され、各静電容量成分Ｃ１１，Ｃ１２，Ｃ１３による自己共振周波数ｆｒ１，ｆｒ２，ｆｒ３も更に分離されることとなる。この結果、積層コンデンサＣ１では、より一層広帯域にわたってインピーダンスを低下させることができる。
【００３３】
続いて、図５及び図６に基づいて、第１実施形態に係る積層コンデンサＣ１の変形例について説明する。図５は、第１実施形態の変形例に係る積層コンデンサに含まれるコンデンサ素体の分解斜視図である。図６は、第１内部電極及び第２内部電極により形成される静電容量成分を説明するための図である。第１実施形態に係る積層コンデンサＣ１と本変形例とでは、連結部４３ａ，４３ｂの位置に関して相違する。
【００３４】
本変形例では、連結部４３ａは、第２主電極部４１ａの第２端面５寄りの部分と、第２主電極部４１ｂの第２端面５寄りの部分とを接続している。また、連結部４３ｂは、第２主電極部４１ｂの第１端面４寄りの部分と、第２主電極部４１ｃの第１端面４寄りの部分とを接続している。すなわち、連結部４３ａと連結部４３ｂとは、第１端面４と第２端面５との対向方向において、異なる位置に設けられている。
【００３５】
これにより、第２端子電極１３を流れる電流の経路は、蛇行することとなり、第１内部電極３１と第２内部電極とで構成されるコンデンサの等価直列インダクタンスＥＳＬ１及び第１内部電極３３と第２内部電極とで構成される等価直列インダクタンスＥＳＬ２は、更に高くなる。したがって、第１内部電極３１と第２内部電極とで構成されるコンデンサの自己共振周波数ｆｒ１及び第１内部電極３３と第２内部電極とで構成されるコンデンサの自己共振周波数ｆｒ２が変化し、インピーダンスの周波数特性が変化する。このように、連結部４３ａ，４３ｂの位置を変更することにより、インピーダンスの周波数特性を調整して、制御することができる。
【００３６】
（第２実施形態）
次に、図７〜図９に基づいて、第２実施形態に係る積層コンデンサＣ２の構成について説明する。図７は、第２実施形態に係る積層コンデンサの概略斜視図である。図８は、第２実施形態に係る積層コンデンサに含まれるコンデンサ素体の分解斜視図である。図９は、第１内部電極、第２内部電極、及び第３内部電極により形成される静電容量成分を説明するための図である。
【００３７】
積層コンデンサＣ２は、図７に示されるように、コンデンサ素体１と、コンデンサ素体１の一端側に設けられた第１端子電極１１と、コンデンサ素体１の他端側に設けられた第２端子電極１３と、を備える。
【００３８】
コンデンサ素体１は、図８に示されるように、複数の誘電体層２１と、複数の第１内部電極５１，５３と、第２内部電極６１と、第３内部電極７１と、を有している。コンデンサ素体１は、複数の第１内部電極５１，５３と第２内部電極６１とが誘電体層２１を挟んで対向するように積層されてなる構造とされている。第１内部電極５１，５３と第２内部電極６１とは、コンデンサ素体１において、誘電体層２１の積層方向、すなわち第１及び第２主面２，３の対向方向に交互に配置されている。コンデンサ素体１では、第３内部電極７１が誘電体層２１を挟んで第１内部電極５１と対向するように積層されている。
【００３９】
複数の第１内部電極５１，５３は、互いの間に間隔を有した状態で、同じ層に位置している。複数の第１内部電極５１，５３は、第３端面６から第４端面７に向う方向で、第１内部電極５１，第１内部電極５３の順で配置されている。各第１内部電極５１，５３は、積層型の電気素子の内部電極として通常用いられる上記導電性材料からなる。各第１内部電極５１，５３は、上記導電性材料を含む導電性ペーストの焼結体として構成される。
【００４０】
第１内部電極５１は、矩形状の第１主電極部５１ａ，５１ｂと、第１端面４に端部が露出するように第１主電極部５１ａから第１端面４に伸びる第１引き出し部５１ｃと、第１主電極部５１ａと第１主電極部５１ｂとの間を接続する連結部５１ｄと、を含んでいる。第１引き出し部５１ｃは、第１主電極部５１ａの第１端面４側の端部から、第１端面４に向けて伸びている。第１主電極部５１ａ，５１ｂと第１引き出し部５１ｃと連結部５１ｄとは、一体に形成されている。
【００４１】
第１内部電極５３は、矩形状の第１主電極部５３ａと、第１端面４に端部が露出するように第１主電極部５３ａから第１端面４に伸びる第１引き出し部５３ｂと、を含んでいる。第１引き出し部５３ｂは、第１主電極部５３ａの第１端面４側の端部から、第１端面４に向けて伸びている。第１主電極部５３ａと第１引き出し部５３ｂとは、一体に形成されている。
【００４２】
第１端子電極１１は、各第１引き出し部５１ｃ，５３ｂの第１端面４に露出した部分をすべて覆うように形成されており、各第１引き出し部５１ｃ，５３ｂは、第１端子電極１１に直接接続される。これにより、第１内部電極５１，５３は、第１端子電極１１に物理的且つ電気的に接続されることとなる。
【００４３】
第２内部電極６１は、第１内部電極５１，５３と異なる層に位置している。すなわち、第２内部電極４１は、誘電体層２１を挟んで、第１内部電極５１，５３（第１主電極部５１ａ，５３ａ）と対向している。第２内部電極６１も、積層型の電気素子の内部電極として通常用いられる上記導電性材料からなる。第２内部電極６１は、上記導電性材料を含む導電性ペーストの焼結体として構成される。第２内部電極６１は、矩形状の第２主電極部６１ａ，６１ｂと、第２端面５に端部が露出するように第２主電極部６１ｂから第２端面５に伸びる第２引き出し部６１ｃと、を含んでいる。
【００４４】
第２主電極部６１ａ，６１ｂは、第３端面６から第４端面７に向う方向で、第２主電極部６１ａ，第２主電極部６１ｂの順で配置されている。第２引き出し部６１ｃは、第２主電極部６１ｂの第２端面５側の端部から、第２端面５に向けて伸びている。第２主電極部６１ａ，６１ｂと第２引き出し部６１ｃとは、一体に形成されている。第２端子電極１３は、第２引き出し部６１ｃの第２端面５に露出した部分をすべて覆うように形成されており、第２引き出し部６１ｃは、第２端子電極１３に直接接続される。
【００４５】
第２内部電極６１は、更に、連結部６３を含んでいる。連結部６３は、第２主電極部６１ａと第２主電極部６１ｂとの間を接続している。詳細には、連結部６３は、第２主電極部６１ａの第２端面５寄りの部分と、第２主電極部６１ｂの第２端面５寄りの部分とを接続している。連結部６３は、第２主電極部６１ａ，６１ｂ及び第２引き出し部６１ｃと一体に形成されている。これにより、第２内部電極６１は、第２端子電極１３に物理的且つ電気的に接続されることとなる。連結部６３は、第１内部電極５１，５３と対向しておらず、誘電体層２１の積層方向（第１及び第２主面２，３の対向方向）から見て第１内部電極５１，５３と重なる領域を有さない。
【００４６】
連結部６３の幅は、各第２主電極部６１ａ，６１ｂの幅よりも狭い。ここで、連結部６３の幅は、第１端面４と第２端面５との対向方向での連結部６３の長さ（幅）であり、各第２主電極部６１ａ，６１ｂの幅は、同じく第１端面４と第２端面５との対向方向での各第２主電極部６１ａ，６１ｂの長さ（幅）である。
【００４７】
第３内部電極７１は、矩形状の第３主電極部７３と、第３中間電極部７５と、第２端面５に端部が露出するように第３主電極部７３から第２端面５に伸びる第３引き出し部７７と、を含んでいる。第３主電極部７３は、第１内部電極５１，５３と間隔を有した状態で、第１内部電極５１，５３と同じ層に位置している。第３中間電極部７５は、第２内部電極６１と間隔を有した状態で、第２内部電極６１と同じ層に位置している。すなわち、第３中間電極部７５は、誘電体層２１を挟んで、第１内部電極５１の第１主電極部５１ａと第３主電極部７３とに対向している。第３主電極部７３と第３引き出し部７７とは、一体に形成されている。第３内部電極７１も、積層型の電気素子の内部電極として通常用いられる上記導電性材料からなる。第３内部電極７１は、上記導電性材料を含む導電性ペーストの焼結体として構成される。
【００４８】
第２端子電極１３は、第３引き出し部７７の第２端面５に露出した部分もすべて覆うように形成されており、第３引き出し部７７は、第２端子電極１３に直接接続される。これにより、第３内部電極７１の第３主電極部７３及び第２内部電極６１は、第２端子電極１３に物理的且つ電気的に接続されることとなる。第３中間電極部７５は、第１及び第２端子電極１１，１３に直接接続されていない。
【００４９】
第１内部電極５１の第１主電極部５１ｂと、第２内部電極６１の第２主電極部６１ａとは、コンデンサ素体１の一部である少なくとも一つの誘電体層２１を挟んで第１及び第２主面２，３の対向方向に互いに対向する領域を含んでいる。すなわち、第１内部電極５１の第１主電極部５１ｂと、第２内部電極６１の第２主電極部６１ａとは、第１及び第２主面２，３の対向方向から見て互いに重なる領域を有している。したがって、誘電体層２１のうち、第１主電極部５１ｂと第２主電極部６１ａとに重なる部分は、図９に示されるように、一つの静電容量成分Ｃ２１を実質的に生じさせる領域である。すなわち、第１内部電極５１と第２内部電極６１とで一つのコンデンサが構成される。
【００５０】
第１内部電極５３の第１主電極部５３ａと、第２内部電極６１の第２主電極部６１ｂとは、コンデンサ素体１の一部である少なくとも一つの誘電体層２１を挟んで第１及び第２主面２，３の対向方向に互いに対向する領域を含んでいる。すなわち、第１内部電極５３の第１主電極部５３ａと、第２内部電極６１の第２主電極部６１ｂとは、第１及び第２主面２，３の対向方向から見て互いに重なる領域を有している。したがって、誘電体層２１のうち、第１主電極部５３ａと第２主電極部６１ｂとに重なる部分は、一つの静電容量成分Ｃ２２を実質的に生じさせる領域である。すなわち、第１内部電極５３と第２内部電極６１とで一つのコンデンサが構成される。
【００５１】
第１内部電極５１の第１主電極部５１ａと、第３内部電極７１の第３中間電極部７５とは、コンデンサ素体１の一部である少なくとも一つの誘電体層２１を挟んで第１及び第２主面２，３の対向方向に互いに対向する領域を含んでいる。すなわち、第１内部電極５１の第１主電極部５１ａと、第３内部電極７１の第３中間電極部７５とは、第１及び第２主面２，３の対向方向から見て互いに重なる領域を有している。したがって、誘電体層２１のうち、第１主電極部５１ａと第３中間電極部７５とに重なる部分は、一つの静電容量成分Ｃ２３を実質的に生じさせる領域である。
【００５２】
第３内部電極７１の第３主電極部７３と、第３内部電極７１の第３中間電極部７５とは、コンデンサ素体１の一部である少なくとも一つの誘電体層２１を挟んで第１及び第２主面２，３の対向方向に互いに対向する領域を含んでいる。すなわち、第３内部電極７１の第３主電極部７３と、第３内部電極７１の第３中間電極部７５とは、第１及び第２主面２，３の対向方向から見て互いに重なる領域を有している。したがって、誘電体層２１のうち、第３主電極部７３と第３中間電極部７５とに重なる部分は、一つの静電容量成分Ｃ２４を実質的に生じさせる領域である。
【００５３】
以上のように、第３主電極部７３及び第３中間電極部７５とは、第１内部電極５１と第３内部電極７１との間に二つの静電容量成分Ｃ２３，Ｃ２４が形成されるように、絶縁体層２１を挟んで配置されている。二つの静電容量成分Ｃ２３，Ｃ２４は、直列接続されている。すなわち、第１内部電極５１と第３内部電極７１とで直列接続された二つのコンデンサが構成される。
【００５４】
本実施形態の積層コンデンサＣ２では、第１内部電極５１，５３が同じ層に位置し、第３端面６から第４端面７に向う方向に併置されている。このため、第１内部電極５１の第１引き出し部５１ｃと、第１内部電極５３の第１引き出し部５３ｂと、の形成位置は異なっている。
【００５５】
静電容量成分Ｃ２１における第１内部電極５１の第１引き出し部５１ｃと第２内部電極６１の第２引き出し部６１ｃとの間の距離Ｄ４、及び、静電容量成分Ｃ２２における第１内部電極５３の第１引き出し部５３ｂと第２内部電極６１の第２引き出し部６１ｃとの間の距離Ｄ５の関係は、
Ｄ４＞Ｄ５
である。各第１引き出し部５１ｃ，５３ｂと第２引き出し部６１ｃとの間の距離Ｄ４，Ｄ５は、各第１引き出し部５１ｃ，５３ｂと第１端子電極１１との接続点と、第２引き出し部６１ｃと第２端子電極１３との接続点との間の最短直線距離をいう。
【００５６】
このため、第１内部電極５１と第２内部電極６１とで構成されるコンデンサの等価直列インダクタンスＥＳＬ４、及び、第１内部電極５３と第２内部電極６１とで構成されるコンデンサの等価直列インダクタンスＥＳＬ５の関係は、
ＥＳＬ４＞ＥＳＬ５
となる。したがって、第１内部電極５１と第２内部電極６１とで構成されるコンデンサの自己共振周波数ｆｒ４、及び第１内部電極５３と第２内部電極６１とで構成されるコンデンサの自己共振周波数ｆｒ５の関係は、
ｆｒ４＜ｆｒ５
となる。
【００５７】
第１内部電極５１と第３内部電極７１とで形成される二つの静電容量成分Ｃ２３，Ｃ２４の合成静電容量成分、及び、第１内部電極５３と第２内部電極６１とで形成される静電容量成分Ｃ２２の関係は、
二つの静電容量成分Ｃ２３，Ｃ２４の合成静電容量成分＜静電容量成分Ｃ２２
となる。そして、第１内部電極５３と第２内部電極６１とで構成されるコンデンサの自己共振周波数ｆｒ５、及び、第１内部電極５１と第３内部電極７１とで構成されるコンデンサの自己共振周波数ｆｒ６の関係は、
ｆｒ５＜ｆｒ６
となる。
【００５８】
以上のことから、第２実施形態においても、
ｆｒ４＜ｆｒ５＜ｆｒ６
となる。第３中間電極部７５を介することで第１内部電極５１と第３内部電極７１とで直列接続された二つのコンデンサが構成されるため、より一層広い周波数帯域にわたって低インピーダンス化を図ることができる。
【００５９】
第２内部電極６１は、各第１内部電極５１，５３に対応して上記静電容量成分をそれぞれ形成する第２主電極部６１ａ，６１ｂと、該各第２主電極部６１ａ，６１ｂの間を接続する連結部６３と、を含み、連結部６３の幅が、第２主電極部６１ａ，６１ｂの幅よりも狭い。このため、各第２主電極部６１ａ，６１ｂが磁気的に分離され、各静電容量成分Ｃ２１，Ｃ２２による自己共振周波数ｆｒ４，ｆｒ５も更に分離されることとなる。この結果、積層コンデンサＣ２では、より一層広帯域にわたってインピーダンスを低下させることができる。
【００６０】
続いて、図１０及び図１１に基づいて、第２実施形態に係る積層コンデンサＣ２の変形例について説明する。図１０は、第２実施形態の変形例に係る積層コンデンサに含まれるコンデンサ素体の分解斜視図である。図１１は、第１内部電極、第２内部電極、及び第３内部電極により形成される静電容量成分を説明するための図である。第２実施形態に係る積層コンデンサＣ２と本変形例とでは、第１内部電極５３の構成に関して相違する。
【００６１】
第１内部電極５３は、図１０に示されるように、矩形状の第１主電極部８１と、複数の第１中間電極部８３，８５，８７と、第１端面４に端部が露出するように第１主電極部８１から第１端面４に伸びる第１引き出し部８９と、を含んでいる。第１主電極部８１と第１引き出し部８９とは、一体に形成されている。
【００６２】
第１主電極部８１は、第２内部電極６１と間隔を有した状態で、第２内部電極６１と同じ層に位置している。第１中間電極部８３，８７は、第１内部電極５１と間隔を有した状態で、第１内部電極５１と同じ層に位置している。第１中間電極部８５は、第２内部電極６１及び第１主電極部８１と間隔を有した状態で、第２内部電極６１及び第１主電極部８１と同じ層に位置している。すなわち、第１中間電極部８３は、誘電体層２１を挟んで、第１内部電極５３の第１主電極部８１と第１中間電極部８５とに対向している。第１中間電極部８５は、誘電体層２１を挟んで、第１中間電極部８３と第１中間電極部８７とに対向している。第１中間電極部８７は、誘電体層２１を挟んで、第１中間電極部８５と第２内部電極６１の第２主電極部６１ｂとに対向している。
【００６３】
第１引き出し部８９は、第１端子電極１１に直接接続される。これにより、第１内部電極５３の第１主電極部８１は、第１端子電極１１に物理的且つ電気的に接続されることとなる。各第１中間電極部８３，８５，８７は、第１及び第２端子電極１１，１３に直接接続されていない。
【００６４】
第２主電極部６１ａと第２主電極部６１ｂとを接続する連結部６３の幅は、第２主電極部６１ａの幅よりも狭く、第２主電極部６１ｂの幅と同程度である。
【００６５】
第１内部電極５３の第１主電極部８１と、第１内部電極５３の第１中間電極部８３とは、コンデンサ素体１の一部である少なくとも一つの誘電体層２１を挟んで第１及び第２主面２，３の対向方向に互いに対向する領域を含んでいる。すなわち、第１内部電極５３の第１主電極部８１と、第１内部電極５３の第１中間電極部８３とは、第１及び第２主面２，３の対向方向から見て互いに重なる領域を有している。したがって、図１１に示されるように、誘電体層２１のうち、第１主電極部８１と第１中間電極部８３とに重なる部分は、一つの静電容量成分Ｃ２２−１を実質的に生じさせる領域である。
【００６６】
第１中間電極部８３と第１中間電極部８５とは、コンデンサ素体１の一部である少なくとも一つの誘電体層２１を挟んで第１及び第２主面２，３の対向方向に互いに対向する領域を含んでいる。すなわち、第１中間電極部８３と第１中間電極部８５とは、第１及び第２主面２，３の対向方向から見て互いに重なる領域を有している。したがって、誘電体層２１のうち、第１中間電極部８３と第１中間電極部８５とに重なる部分は、一つの静電容量成分Ｃ２２−２を実質的に生じさせる領域である。
【００６７】
第１中間電極部８５と第１中間電極部８７とは、コンデンサ素体１の一部である少なくとも一つの誘電体層２１を挟んで第１及び第２主面２，３の対向方向に互いに対向する領域を含んでいる。すなわち、第１中間電極部８５と第１中間電極部８７とは、第１及び第２主面２，３の対向方向から見て互いに重なる領域を有している。したがって、誘電体層２１のうち、第１中間電極部８５と第１中間電極部８７とに重なる部分は、一つの静電容量成分Ｃ２２−３を実質的に生じさせる領域である。
【００６８】
第１中間電極部８７と第２内部電極６１の第２主電極部６１ｂとは、コンデンサ素体１の一部である少なくとも一つの誘電体層２１を挟んで第１及び第２主面２，３の対向方向に互いに対向する領域を含んでいる。すなわち、第１中間電極部８７と第２内部電極６１の第２主電極部６１ｂとは、第１及び第２主面２，３の対向方向から見て互いに重なる領域を有している。したがって、誘電体層２１のうち、第１中間電極部８７と第２主電極部６１ｂとに重なる部分は、一つの静電容量成分Ｃ２２−４を実質的に生じさせる領域である。
【００６９】
以上のように、第１主電極部８１及び第１中間電極部８３，８５，８７とは、第１内部電極５３と第２内部電極６１（第２主電極部６１ｂ）との間に四つの静電容量成分Ｃ２２−１，Ｃ２２−２，Ｃ２２−３，Ｃ２２−４が形成されるように、絶縁体層２１を挟んで配置されている。四つの静電容量成分Ｃ２２−１，Ｃ２２−２，Ｃ２２−３，Ｃ２２−４は、直列接続されている。すなわち、第１内部電極５３と第２内部電極６１（第２主電極部６１ｂ）とで直列接続された四つのコンデンサが構成される。
【００７０】
本変形例では、第１内部電極５３と第２内部電極６１（第２主電極部６１ｂ）とにより形成される静電容量成分が、直列接続された四つの静電容量成分Ｃ２２−１，Ｃ２２−２，Ｃ２２−３，Ｃ２２−４に分割されることとなり、四つの静電容量成分Ｃ２２−１，Ｃ２２−２，Ｃ２２−３，Ｃ２２−４の合成静電容量成分は、上記静電容量成分が分割されない場合に比して、極めて小さくなる。したがって、極めて広帯域にわたってインピーダンスが低下することとなる。
【００７１】
以上、本発明の好適な実施形態について説明してきたが、本発明は必ずしも上述した実施形態に限定されるものではなく、その要旨を逸脱しない範囲で様々な変更が可能である。例えば、各内部電極の形状や、各内部電極の引き出し部の形成位置、形状、数等については、特に上記実施形態には限られない。
【符号の説明】
【００７２】
１…コンデンサ素体、１１…第１端子電極、１３…第２端子電極、２１…誘電体層、３１，３３，３５…第１内部電極、３１ａ，３３ａ，３５ａ…第１主電極部、３１ｂ，３３ｂ，３５ｂ…第１引き出し部、４１…第２内部電極、４１ａ，４１ｂ，４１ｃ…第２主電極部、４１ｄ…第２引き出し部、４３ａ，４３ｂ…連結部、５１，５３…第１内部電極、５１ａ，５１ｂ，５３ａ…第１主電極部、５１ｃ，５３ｂ…第１引き出し部、５１ｄ…連結部、６１…第２内部電極、６１ａ，６１ｂ…第２主電極部、６１ｃ…第２引き出し部、６３…連結部、７１…第３内部電極、７３…第３主電極部、７５…第３中間電極部、７７…第３引き出し部、８１…第１主電極部、８３，８５，８７…第１中間電極部、８９…第１引き出し部、Ｃ１，Ｃ２…積層コンデンサ、Ｃ１１，Ｃ１２，Ｃ１３，Ｃ２１，Ｃ２２，Ｃ２２−１，Ｃ２２−２，Ｃ２２−３，Ｃ２２−４，Ｃ２３，Ｃ２４…静電容量成分。
【図１】
2010219143.tif 000003
【図２】
2010219143.tif 000004
【図３】
2010219143.tif 000005
【図４】
2010219143.tif 000006
【図５】
2010219143.tif 000007
【図６】
2010219143.tif 000008
【図７】
2010219143.tif 000009
【図８】
2010219143.tif 000010
【図９】
2010219143.tif 000011
【図１０】
2010219143.tif 000012
【図１１】
2010219143.tif 000013